(57)【要約】【課題】防犯タグを商品に保持した状態で取り付けるための防犯タグの装着用バンドを提供する。【解決手段】商品１の適宜位置に防犯タグ２を保持した状態で取り付けるための防犯タグの装着用バンド１１であって、防犯タグの装着用バンドは、伸縮性を有する合成樹脂材で形成され、所用の幅寸法及び径寸法のリング状部材１１ａである。合成樹脂材は、熱可塑性ポリウレタン樹脂材であることが望ましい。【選択図】図３
0003234194.tif 000002
【実用新案登録請求の範囲】
【請求項１】
商品の適宜位置に防犯タグを保持した状態で取り付けるための防犯タグの装着用バンドであって、
該防犯タグの装着用バンドは、伸縮性を有する合成樹脂材で形成され、所用の幅寸法及び径寸法のリング状部材であること
を特徴とする防犯タグの装着用バンド。
【請求項２】
前記合成樹脂材は、熱可塑性ポリウレタン樹脂材であること
を特徴とする請求項１に記載の防犯タグの装着用バンド。
【請求項３】
前記リング状部材は、耐水性あるいは耐洗濯性を有して、反復利用可能であること
を特徴とする請求項１に記載の防犯タグの装着用バンド。
【請求項４】
前記リング状部材は、透明、半透明、又は有色であること
を特徴とする請求項１に記載の防犯タグの装着用バンド。
【考案の詳細な説明】
【技術分野】
【０００１】
本考案は、盗難防止用あるいは万引き防止用のタグ類（以下「防犯タグ」と云う）を商品に保持した状態で取り付けるための、防犯タグの装着用バンドに関するものである。
【背景技術】
【０００２】
従来、図５から図７に示すように、店頭で小売りする商品１に防犯タグ２を取り付ける場合は、ラップフィルム３を用い、防犯ダグ２を保持した状態で商品１にグルグル巻き付けて取り付けている。
なお、図７中の符号５は、陳列棚のフックを挿入するフック孔を示し、符号６は、フック孔５が設けられたヘッダーを示す。
【０００３】
一方、特許文献１には、盗難防止装置の固定具が開示されている。この盗難防止装置の固定具は、ダグを商品に向かって押える押圧部と、両面テープで接着するベルト状の張出部と、押圧部と張出部とを繋ぐ中間部とを有した構成である（特許文献１参照）。
【先行技術文献】
【特許文献】
【０００４】
【特許文献１】実用新案登録第３２０６８５３号公報
【考案の概要】
【考案が解決しようとする課題】
【０００５】
従来のラップフィルム３を用いる場合は、ラップフィルム３を商品１にグルグル巻き付ける作業が煩雑で時間が掛かるだけでなく、ラップフィルム３がグシャグシャと皺４になって見栄えが悪く、商品価値を損なうという問題点を有している。
さらには、ラップフィルム３は再利用ができず使い捨てるので、不経済であるとともに、エコロジーな生活スタイルに反するという問題点も有している。
【０００６】
また、従来例の盗難防止装置の固定具においては、押圧部と張出部と中間部とを有するやや複雑な構造なので、固定具の単価やコストが割高となり、そして、簡単にタグを取り付けられず、様々な大きさや形状の商品に対応して使用できないという問題点を有している。
【０００７】
従って、従来例のラップフィルムを用いる場合においては、防犯タグを簡単で短時間に商品へ取り付けることと、見栄え良く取り付て商品価値を損なわないことと、使い捨てることなく繰り返して使用できることとに解決しなければならない課題を有している。
また、従来例の盗難防止装置の固定具においては、構造を簡単にして単価やコストを下げることと、簡単にタグを取り付けることと、様々な大きさや形状の商品に対応して使用できることとに解決しなければならない課題を有している。
【課題を解決するための手段】
【０００８】
前記従来例の課題を解決するための本考案の要旨は、商品の適宜位置に防犯タグを保持した状態で取り付けるための防犯タグの装着用バンドであって、該防犯タグの装着用バンドは、伸縮性を有する合成樹脂材で形成され、所用の幅寸法及び径寸法のリング状部材であることである。
【０００９】
また、前記合成樹脂材は、熱可塑性ポリウレタン樹脂材であること、；
前記リング状部材は、耐水性あるいは耐洗濯性を有して、反復利用可能であること、；
前記リング状部材は、透明、半透明、又は有色であること、；
を含むものである。
【考案の効果】
【００１０】
本考案に係る防犯タグの装着用バンドによれば、リング状部材を商品の大きさや形状に合わせて拡げ、防犯タグを保持した状態で商品に取り付ければ、防犯タグを極めて簡単に短時間で商品へ装着することができる。そして、伸縮性を有するので様々な大きさや形状の商品に対応して使用できる。
また、従来例のラップフィルムを用いた場合と異なり、皺にならないので、汚れが付着せず、見栄え良く商品に取り付けることができて、商品価値を損なわない。
さらには、防犯タグの装着用バンドは、使い捨てることなく繰り返して使用できるので、経済的であるとともに、エコロジーな生活スタイルに合致する。
そして、防犯タグの装着用バンドは、構造が極めて簡単なので、単価やコストが割安であるという種々の優れた効果を奏する。
【００１１】
合成樹脂材は、熱可塑性ポリウレタン樹脂材であることによって、伸縮性に優れ、耐水性、耐洗濯性が高く、透明や半透明だけでなく様々な色に着色が可能であり、形状加工が容易であり、単価やコストが割安であるという種々の優れた効果を奏する。
【００１２】
リング状部材は、耐水性あるいは耐洗濯性を有して、反復利用可能であることによって、使い捨てることなく繰り返して使用でき、経済的であるとともに、エコロジーな生活スタイルに合致するという優れた効果を奏する。
【００１３】
リング状部材は、透明、半透明、又は有色であることによって、透明や半透明であれば、視覚的に邪魔になりにくく、商品価値が損なわれない。また、商品の色彩や形状等に合わせた色彩の有色であれば、オシャレであったり、斬新であったりする視覚的なデザイン性を向上することが可能であるという優れた効果を奏する。
【図面の簡単な説明】
【００１４】
【図１】（イ）（ロ）本考案に係る防犯タグの装着用バンドの斜視図である。
【図２】本考案に係る防犯タグの装着用バンドで防犯タグを商品に装着した一例を示す斜視図である。
【図３】本考案に係る防犯タグの装着用バンドで防犯タグを商品に装着した一例を示す斜視図である。
【図４】本考案に係る防犯タグの装着用バンドで防犯タグを商品に装着した一例を示す斜視図である。
【図５】従来例に係るラップフィルムで防犯タグを商品に取り付けた一例を示す斜視図である。
【図６】従来例に係るラップフィルムで防犯タグを商品に取り付けた一例を示す斜視図である。
【図７】従来例に係るラップフィルムで防犯タグを商品に取り付けた一例を示す斜視図である。
【考案を実施するための形態】
【００１５】
次に、本考案の実施の形態について図面を参照しながら説明する。まず、図１（イ）（ロ）において、符号１１は防犯タグの装着用バンドを示し、この防犯タグの装着用バンド１１は、伸縮性を有する合成樹脂材で形成され、所用の幅寸法及び径寸法のリング状部材１１ａである。
【００１６】
合成樹脂材は、伸縮性を有する様々な種類の素材のものが適用できるが、特に、熱可塑性ポリウレタン樹脂材であることが望ましい。この場合は、伸縮性に優れ、耐水性、耐洗濯性が高く、透明や半透明だけでなく様々な色に着色が可能であり、形状加工が容易であり、単価やコストが割安である。
【００１７】
防犯タグの装着用バンド１１（リング状部材１１ａ）の伸縮性は、例えば、現寸法の約３倍から約５倍程度以上であることが望ましい。伸縮性が良好であることによって、様々な大きさや形状の商品にピッタリとフィットさせて使用できることとなる。
【００１８】
防犯タグの装着用バンド１１（リング状部材１１ａ）の幅寸法は、使用する商品の大きさや形状によって異なり、例えば、２０〜３０ｍｍ程度が適当な幅寸法であるが、場合によっては、それ以上又はそれ以下の幅寸法であってもよい。
また、径寸法は、防犯タグ２を装着する商品の大きさや形状によって、種々な径寸法が選択できて、様々な大きさや形状の商品にピッタリとフィットさせて使用できる。
【００１９】
防犯タグの装着用バンド１１（リング状部材１１ａ）は、耐水性あるいは耐洗濯性を有して、反復利用可能であることが望ましい。この場合は、使い捨てることなく繰り返して使用でき、経済的であるとともに、エコロジーな生活スタイルに合致することとなる。
【００２０】
防犯タグの装着用バンド１１（リング状部材１１ａ）は、透明、半透明、又は様々な色彩の有色である。
この場合は、透明や半透明であれば、視覚的に邪魔になりにくく、商品価値が損なわれない。また、商品１の色彩や形状等に合わせて、色彩の有色であれば、オシャレであったり、斬新であったりする視覚的なデザイン性を向上することが可能である。
【００２１】
以上のように構成される防犯タグの装着用バンド１１は、リング状部材１１ａを商品１の大きさや形状に合わせて拡げ、防犯タグ２を保持した状態で商品１に取り付ければ（図２から図４参照）、防犯タグ２を極めて簡単に短時間で商品１へ装着することができる。  例えば、出願人による実験では、図６に示す箱形状の商品１にラップフィルム３で防犯ダグ２を取り付ける作業は約１２秒程度の時間が掛かるが、同様な図３に示す箱形状の商品１に防犯タグの装着用バンド１１で防犯タグ２装着する作業は３〜５秒程度の短時間で行えることが明らかになっている。
そして、伸縮性を有するので様々な大きさや形状の商品１に対応して使用できる。
【００２２】
また、従来例のラップフィルム３を用いた場合と異なり、皺４にならないので、汚れが付着せず、見栄え良く商品に取り付けることができて、商品価値を損なわない。
そして、防犯タグの装着用バンド１１は、使い捨てることなく繰り返して使用できるので、経済的であるとともに、エコロジーな生活スタイルに合致する。
さらには、防犯タグの装着用バンド１１は、構造が極めて簡単なので、単価やコストが割安である。
【符号の説明】
【００２３】
１    商品
２    防犯タグ
３    ラップフィルム
４    皺
５    フック孔
６    ヘッダー
１１  防犯タグの装着用バンド
１１ａリング状部材
【図１】
0003234194.tif 000003
【図２】
0003234194.tif 000004
【図３】
0003234194.tif 000005
【図４】
0003234194.tif 000006
【図５】
0003234194.tif 000007
【図６】
0003234194.tif 000008
【図７】
0003234194.tif 000009